(57)【要約】      （修正有）【課題】節電モードが解除された場合に、迅速にかつ簡易な構成で操作すべきキーを点灯させられる携帯電子機器を提供する。【解決手段】携帯電子機器は、筐体と、表示部３４と、複数のキー１３を有する操作部と、複数の発光部１４と、アプリケーション実行部５１と、所定のアプリケーションの指示に基づいて所定のキー１３に対応する発光部１４を選択する選択決定部５２と、表示部３４に所定の情報を表示させる表示制御部５４と、所定の発光部１４が発光している状態において表示部３４が非節電状態から節電状態に移行される場合に、第１発光情報を記憶部１５に記憶させる制御部５６と、を備え、制御部５６は、表示部３４が節電状態から非節電状態に移行されるときに記憶部１５に第１発光情報が記憶されていると判定した場合に、当該第１発光情報に基づいて、所定の発光部１４を発光させる。【選択図】図２
2011035741.tif 000002
【特許請求の範囲】
【請求項１】
筐体と、
前記筐体に設けられる表示部と、
前記筐体に設けられ複数のキーを有する操作部と、
前記複数のキーそれぞれに対応して配置される複数の発光部と、
所定のアプリケーションを実行するアプリケーション実行部と、
前記アプリケーション実行部により実行されている所定のアプリケーションの指示に基づいて、前記複数のキーの中から所定のキーに対応する発光部を選択する選択決定部と、
前記所定のアプリケーションの実行状態に応じて前記表示部に所定の情報を表示させる表示制御部と、
所定の発光部が前記選択決定部により選択され当該所定の発光部が発光している状態において、前記表示部が非節電状態から節電状態に移行される場合に、前記選択決定部により選択されている前記所定の発光部の位置に関する第１発光情報を記憶部に記憶させる制御部と、を備え、
前記制御部は、前記表示部が節電状態から非節電状態に移行されるときに前記記憶部に前記第１発光情報が記憶されていると判定した場合に、当該第１発光情報に基づいて、前記所定の発光部を発光させる携帯電子機器。
【請求項２】
前記選択決定部は、前記複数のキーのうちの２以上のキーそれぞれに対応して配置された複数の発光部を選択する請求項１に記載の携帯電子機器。
【請求項３】
前記選択決定部は、当該選択決定部により選択された前記発光部の点灯情報、点滅情報、及び発光色情報のうちのすくなくともいずれかを含む発光態様を決定する請求項１又は２に記載の携帯電子機器。
【請求項４】
前記表示部が節電状態にあるときに前記アプリケーション実行部により前記所定のアプリケーションと異なる他のアプリケーションが実行された場合、前記選択決定部は、当該他のアプリケーションの指示に基づいて、前記複数のキーの中から所定のキーに対応する発光部を選択し、
前記制御部は、前記記憶部に記憶されている前記第１発光情報を前記他のアプリケーションの指示に基づいて前記選択決定部が選択した情報である第２発光情報に更新する請求項１から３のいずれか一項に記載の携帯電子機器。
【請求項５】
前記制御部は、前記アプリケーション実行部による前記他のアプリケーションの実行が終了した場合、前記記憶部に記憶されている前記第２発光情報を前記第１発光情報に更新する請求項４に記載の携帯電子機器。
【請求項６】
前記アプリケーション実行部により実行される前記他のアプリケーションは、所定の報知動作を伴うアプリケーションである請求項４又は５に記載の携帯電子機器。
【請求項７】
前記筐体は、前記操作部を有する第１筐体と、前記表示部を有する第２筐体と、前記第１筐体と前記第２筐体とが重なり合った閉状態と前記第１筐体と前記第２筐体とが重なり合わない開状態とを変更可能に連結する連結部と、前記閉状態又は前記開状態を検知する開閉検知部と、を備え、
前記制御部は、前記開閉検知部により前記閉状態が検知されている状態で前記アプリケーション実行部により前記他のアプリケーションが実行された場合に、前記記憶部に記憶されている前記第１発光情報を前記第２発光情報に更新する請求項４から６のいずれか一項に記載の携帯電子機器。
【請求項８】
前記制御部は、前記開閉検知部により前記閉状態が検出されている状態で前記アプリケーション実行部による前記他のアプリケーションの実行が終了した場合、前記記憶部に記憶されている前記第２発光情報を前記第１発光情報に更新する請求項７に記載の携帯電子機器。
【発明の詳細な説明】
【技術分野】
【０００１】
本発明は、携帯電話機等の携帯電子機器に関する。
【背景技術】
【０００２】
従来、ユーザが所定の操作を行う場合に、このユーザが操作すべきキーを点灯させることで操作手順を知らせるガイド機能を備えた携帯電話機が提案されている（例えば、特許文献１参照）。また、所定の時間ユーザによる操作が行われなかった場合に、ディスプレイの表示を消して電力の消費を低減する節電モードを備えた携帯電話機も提案されている。
【０００３】
ここで、ガイド機能及び節電モードを備えた携帯電話機においては、ガイド機能を使用中に節電モードが起動された場合、この節電モードが起動される直前にディスプレイに表示された画面に対応して点灯されていたキーも消灯される。
【先行技術文献】
【特許文献】
【０００４】
【特許文献１】特開２００５−３４８１８４号公報
【発明の概要】
【発明が解決しようとする課題】
【０００５】
ところで、節電モードが解除された場合、携帯電話機は、節電モードが解除されたときにディスプレイに表示される画面、即ち節電モードが解除されたときに実行されているアプリケーションの状態に対応するキーを点灯させることが望ましい。
【０００６】
本発明は、節電モードが解除された場合に、迅速にかつ簡易な構成で操作すべきキーを点灯させられる携帯電子機器を提供することを目的とする。
【課題を解決するための手段】
【０００７】
本発明は、筐体と、前記筐体に設けられる表示部と、前記筐体に設けられ複数のキーを有する操作部と、前記複数のキーそれぞれに対応する複数の発光部と、所定のアプリケーションを実行するアプリケーション実行部と、前記アプリケーション実行部により実行されている所定のアプリケーションの指示に基づいて、前記複数のキーの中から所定のキーに対応して配置される発光部を選択する選択決定部と、前記所定のアプリケーションの実行状態に応じて前記表示部に所定の情報を表示させる表示制御部と、所定の発光部が前記選択決定部により選択され当該所定の発光部が発光している状態において、前記表示部が非節電状態から節電状態に移行される場合に、前記選択決定部により選択されている前記所定の発光部の位置に関する第１発光情報を記憶部に記憶させる制御部と、を備え、前記制御部は、前記表示部が節電状態から非節電状態に移行されるときに前記記憶部に前記第１発光情報が記憶されていると判定した場合に、当該第１発光情報に基づいて、前記所定の発光部を発光させる携帯電子機器に関する。
【０００８】
また、前記選択決定部は、前記複数のキーのうちの２以上のキーそれぞれに対応して配置された複数の発光部を選択することが好ましい。
【０００９】
また、前記選択決定部は、当該選択決定部により選択された前記発光部の点灯情報、点滅情報、及び発光色情報のうちのすくなくともいずれかを含む発光態様を決定することが好ましい。
【００１０】
また、前記表示部が節電状態にあるときに前記アプリケーション実行部により前記所定のアプリケーションと異なる他のアプリケーションが実行された場合、前記選択決定部は、当該他のアプリケーションの指示に基づいて、前記複数のキーの中から所定のキーに対応する発光部を選択し、前記制御部は、前記記憶部に記憶されている前記第１発光情報を前記他のアプリケーションの指示に基づいて前記選択決定部が選択した情報である第２発光情報に更新することが好ましい。
【００１１】
また、前記制御部は、前記アプリケーション実行部による前記他のアプリケーションの実行が終了した場合、前記記憶部に記憶されている前記第２発光情報を前記第１発光情報に更新することが好ましい。
【００１２】
また、前記アプリケーション実行部により実行される前記他のアプリケーションは、所定の報知動作を伴うアプリケーションであることが好ましい。
【００１３】
また、前記筐体は、前記操作部を有する第１筐体と、前記表示部を有する第２筐体と、前記第１筐体と前記第２筐体とが重なり合った閉状態と前記第１筐体と前記第２筐体とが重なり合わない開状態とを変更可能に連結する連結部と、前記閉状態又は前記開状態を検出する開閉検知部と、を備え、前記制御部は、前記開閉検知部により前記閉状態が検出されている状態で前記アプリケーション実行部により前記他のアプリケーションが実行された場合に、前記記憶部に記憶されている前記第１発光情報を前記第２発光情報に更新することが好ましい。
【００１４】
また、前記制御部は、前記開閉検知部により前記閉状態が検出されている状態で前記アプリケーション実行部による前記他のアプリケーションの実行が終了した場合、前記記憶部に記憶されている前記第２発光情報を前記第１発光情報に更新することが好ましい。
【発明の効果】
【００１５】
本発明の携帯電子機器によれば、節電モードが解除された場合に、迅速にかつ簡易な構成で操作すべきキーを点灯させられる。
【図面の簡単な説明】
【００１６】
【図１】本発明の一実施形態に係る携帯電話機を開状態で示す斜視図である。
【図２】本発明の携帯電話機の機能を示す機能ブロック図である。
【図３】節電実行部により表示部が節電状態から非節電状態に移行される場合における携帯電話機の動作を示すフロー図である。
【図４】節電実行部により表示部が非節電状態から節電状態に移行される場合における携帯電話機の動作を示すフロー図である。
【図５】実行されているアプリケーションの指示に基づいて選択決定部により所定のＬＥＤが選択された場合における携帯電話機の動作を示すフロー図である。
【図６】実行されているアプリケーションの指示に基づいて選択決定部により選択された所定のＬＥＤの選択が解除された場合における携帯電話機の動作を示すフロー図である。
【発明を実施するための形態】
【００１７】
以下、本発明の実施形態について、図面を参照しながら説明する。先ず、本発明の携帯電子機器の一実施形態である携帯電話機１の基本構造について、図１を参照しながら説明する。図１は、本実施形態の携帯電話機１を開状態で示す斜視図である。
【００１８】
図１に示すように、本実施形態の携帯電話機１は、折り畳み型の携帯電話機１であって、筐体としての操作部側筐体２及び表示部側筐体３と、操作部側筐体２と表示部側筐体３とを連結する連結部４と、を備える。
【００１９】
操作部側筐体２は、外郭を形成するフロントケース２１及びリアケース２２を備える。フロントケース２１は、操作部側筐体２の前面２ａ側を構成する。操作部側筐体２の前面２ａは、携帯電話機１が折り畳まれた状態で表示部側筐体３と向かい合う面である。リアケース２２は、操作部側筐体２における前面２ａと反対側の面である背面２ｂ側を構成する。
【００２０】
フロントケース２１は、操作部１１が前面２ａに露出するように構成される。操作部１１は、複数のキー１３を有する。複数のキー１３は、各種設定や電話帳機能やメール機能等の各種機能を作動させるための機能設定操作キー１３１と、電話番号の数字やメール等の文字等を入力するためのテンキー等の入力操作キー１３２と、各種操作における決定や上下左右方向のスクロール等を行う決定操作キー１３３と、により構成される。また、操作部側筐体２における複数のキー１３それぞれの内部には、複数の発光部としての複数のＬＥＤ１４（図２参照）が配置されている。
【００２１】
操作部１１を構成する複数のキー１３それぞれには、操作部側筐体２と表示部側筐体３との開閉状態や、起動されているアプリケーションの種類に応じて所定の機能が割り当てられる（キー・アサイン）。携帯電話機１において、操作部１１を構成する複数のキーがユーザにより押圧されることで、複数のキーそれぞれに割り当てられている機能に応じた動作が実行される。
【００２２】
操作部側筐体２の前面２ａには、携帯電話機１のユーザが通話時に発した音声が入力される音声入力部１２が配置される。
操作部側筐体２の側面には、所定の機能が割り当てられたサイドキーや、外部機器（例えば、ホスト装置）とデータの送受信を行うためのインターフェースや、ヘッドホン／マイク端子、着脱可能な外部メモリのインターフェースや、バッテリを充電するための充電端子等が設けられる。
【００２３】
図１に示すように、表示部側筐体３は、外郭を形成するフロントケース３０ａ、カバー部材３３及びリアケース３０ｂを備える。フロントケース３０ａ及びカバー部材３３は、表示部側筐体３の前面３ａ側を構成する。表示部側筐体３の前面３ａは、携帯電話機１が折り畳まれた状態で操作部側筐体２と向かい合う面である。リアケース３０ｂは、表示部側筐体３における前面３ａと反対側の面である背面３ｂ側を構成する。
フロントケース３０ａ及びカバー部材３３は、各種情報を表示する表示部３４及び通話の相手側における音声を出力する音声出力部３１が前面２ａに露出するように構成される。
【００２４】
連結部４は、操作部側筐体２の上端部と表示部側筐体３の下端部とを開閉可能に連結する。携帯電話機１は、連結部４を介して連結された操作部側筐体２と表示部側筐体３とが相対的に回転（回動）されることにより、操作部側筐体２と表示部側筐体３とが互いに開いた状態（開状態、図１参照）や、操作部側筐体２と表示部側筐体３とが折り畳まれた状態（閉状態、図示せず）に変形される。
【００２５】
以上の構成を備える本実施形態の携帯電話機１は、ユーザが操作すべきキーを点灯や点滅させることで操作手順を知らせるガイド機能、及び所定の時間ユーザによる操作が行われなかった場合や、携帯電話機１が閉状態となった場合に、表示部３４の表示を消したり、ＬＥＤ１４を消灯したりして電力の消費を低減する節電モードを備える。そして、本実施形態の携帯電話機１によれば、節電モードが解除された場合に、迅速に操作すべきキーを再び点灯や点滅させられる。
【００２６】
図２は、本実施形態の携帯電話機１の機能を示す機能ブロック図である。
本実施形態の携帯電話機１は、上述した機能を発揮するための構成として、表示部３４と、複数のキー１３を有する操作部１１と、複数のキー１３それぞれに対応して配置される複数のＬＥＤ１４と、記憶部としてのメモリ１５と、携帯電話機１の様々な動作を制御するＣＰＵ５と、を備える。また、携帯電話機１は、電池（図示せず）を備えており、この電池により上述の各部に給電を行っている。
複数のキー１３は、光透過性を有する部材により構成される。これにより、複数のキー１３それぞれに対応して配置された複数のＬＥＤ１４のうちの所定のＬＥＤが発光すると、ＬＥＤの光は、この発光したＬＥＤに対応するキーを透過して外部から視認可能となる。
【００２７】
メモリ１５は、ＣＰＵ５による演算処理に利用される。また、このメモリ１５には、携帯電話機１上で動作する様々なアプリケーションが利用するデータやテーブル等が格納されている。
【００２８】
ＣＰＵ５は、アプリケーション実行部５１、選択決定部５２、発光駆動部５３、表示制御部５４、節電実行部５５、制御部５６、及び判定部５７、を含んで構成される。
アプリケーション実行部５１は、携帯電話機１上で動作する様々なアプリケーションを実行する。
【００２９】
選択決定部５２は、アプリケーション実行部５１により実行されている所定のアプリケーションの指示に基づいて、複数のキー１３の中から所定のキーに対応して配置されるＬＥＤ１４を選択する。具体的には、メールに関するアプリケーションが実行されている状態で、ユーザがメールの文章を入力し終わり、入力した文章を確定させるキー（例えば、機能設定操作キー１３１）を押下した場合、選択決定部５２は、次に操作すべきキーとして送信を実行させるキー（例えば、決定操作キー１３３）に対応するＬＥＤ１４を選択する。
【００３０】
また、選択決定部５２は、アプリケーション実行部５１により実行されているアプリケーションの指示に基づいて、選択したＬＥＤ１４の点灯情報、点滅情報、及び発光色情報等の発光態様を決定する。
【００３１】
発光駆動部５３は、選択決定部５２により選択されたＬＥＤ１４を、決定された所定の発光態様で発光駆動する。
表示制御部５４は、アプリケーションの実行状態に応じて表示部３４に所定の情報を表示させる。具体的には、表示制御部５４は、表示部３４に画像情報や文字情報を出力させると共に、この表示部３４に設けられたバックライト（図示せず）を発光させて、出力された画像情報や文字情報を表示部３４に表示させる。
【００３２】
節電実行部５５は、所定の条件（第１の条件）に従って表示部３４を含む所定のブロックを非節電状態から節電状態に移行させる。具体的には、節電実行部５５は、所定時間複数のキー１３の操作が検出されなかった場合や、携帯電話機１が開状態から閉状態に移行した場合等の第１の条件に従って、表示部３４に設けられたバックライトを消灯させると共に表示部３４への給電を停止して表示部３４の表示を消し、また、ＬＥＤ１４を消灯させる。また、このとき、節電実行部５５は、制御部５６に表示部３４を含む所定のブロックを節電状態に移行させた旨を通知する。
このように、節電状態では、制御部５６は、所定のイベントの割り込み（例えば、ニュース受信やアラーム報知を行うアプリケーションの実行）の監視のみを行い、その他の機能を停止させる。
【００３３】
また、節電実行部５５は、所定の条件（第２の条件）に従って表示部３４を含む所定のブロックを節電状態から非節電状態に移行させる。具体的には、節電実行部５５は、節電状態において複数のキー１３のうちのいずれかのキーの操作が検出された場合や、携帯電話機１が閉状態から開状態とされた場合等の第２の条件に従って、表示部３４への給電を再開すると共にバックライトを発光させて表示を再開する。即ち、節電実行部５５は、表示部３４を節電状態から非節電状態に移行させる。
また、節電実行部５５は、節電状態において、既に実行されているアプリケーションとは異なる他のアプリケーションが実行された場合にも、表示部３４を含む各ブロックのうちの必要なブロックを節電状態から非節電状態に移行させる。例えば、メールに関するアプリケーションを実行している状態で、節電状態に移行しているときに着信報知を行うアプリケーションの実行があった場合、節電実行部５５は、表示部３４及び必要なブロックを節電状態から非節電状態に移行させて着信を報知する。また、このとき、節電実行部５５は、制御部５６に表示部３４及び所定のブロックを非節電状態に移行させた旨を通知する。
携帯電話機１は、以上の処理により電力の消費を低減し、長時間の使用を可能としている。
【００３４】
制御部５６は、選択決定部５２により選択された所定のＬＥＤ１４が発光している状態において、非節電状態から節電状態に移行される場合に、選択決定部５２により選択されている所定のＬＥＤ１４の位置に関する第１発光情報をメモリ１５に記憶させる。尚、第１発光情報をメモリ１５に記憶させるタイミングは、上述に限られない。例えば、制御部５６は、選択決定部５２により所定のＬＥＤ１４が選択された場合に、この選択されたＬＥＤ１４の位置に関する情報を第１発光情報として記憶させてもよい。この場合、メモリ１５に第１発光情報が記憶されており、新たに選択決定部５２により所定のＬＥＤ１４が選択された場合には、この新たに選択されたＬＥＤ１４の位置に関する情報を第１発光情報として上書きする。
また、この制御部５６は、選択決定部５２により所定のＬＥＤ１４が選択されると共に、この所定のＬＥＤ１４の発光態様も決定されている場合には、所定のＬＥＤ１４の位置及び発光態様を第１発光情報としてメモリ１５に記憶させる。
具体的には、メールに関するアプリケーションが実行されている状態において、ガイド機能により決定操作キー１３３のうちの送信を実行させるキーに対応して配置されるＬＥＤ１４を赤色に点滅させているときに、節電実行部５５により携帯電話機１が非節電状態から節電状態に移行された場合には、制御部５６は、このＬＥＤ１４の位置及び赤色の点滅状態という発光態様を第１発光情報としてメモリ１５に記憶させる。尚、メモリ１５は、不揮発性のメモリであり、節電状態になっても第１発光情報は消失しない。
【００３５】
また、制御部５６は、節電実行部５５により表示部３４を含む所定のブロックが節電状態から非節電状態に移行され、後述の判定部５７によりメモリ１５に第１発光情報が記憶されていると判定された場合に、メモリ１５に記憶されている第１発光情報に基づいて、所定のＬＥＤ１４を所定の発光態様で発光させるように発光駆動部５３を制御する。
更に、制御部５６は、節電実行部５５からの通知に応じて、表示部３４を含む所定のブロックが非節電状態であるか又は節電状態であるかをメモリ１５に記憶させる。
【００３６】
判定部５７は、節電実行部５５により表示部３４を含む所定のブロックが節電状態から非節電状態に移行されたときに、メモリ１５に第１発光情報が記憶されているか否かを判定する。また、判定部５７は、アプリケーション実行部５１によりアプリケーションが実行された場合に、メモリ１５に表示部３４が非節電状態である旨が記憶されているかを判定する。
【００３７】
以上の構成を有する本実施形態の携帯電話機１では、制御部５６は、非節電状態から節電状態に移行されるときに選択決定部５２により選択及び決定されている第１発光情報をメモリ１５に記憶させる。そして、制御部５６は、表示部３４及び必要なブロックが節電状態から非節電状態に移行されたときに、メモリ１５に記憶された第１発光情報に基づいて所定のＬＥＤ１４を発光させるよう発光駆動部５３を制御する。これにより、表示部３４及び必要なブロックが節電状態から非節電状態に移行された場合に、選択決定部５２を動作させることなく、即ち、実行中のアプリケーションに発光させるべきキーを確認することなく、非節電状態に移行直後に、メモリ１５に記憶されている第１発光情報に基づいて、ＬＥＤ１４の発光を制御できる。よって、携帯電話機１は、節電状態が解除されて非節電状態に移行した場合に、迅速にかつ簡易な構成で操作すべきキーに対応して配置されるＬＥＤ１４を発光することができる。
【００３８】
尚、節電実行部５５は、ユーザ操作に基づいて節電状態において複数のキー１３のうちのいずれかのキーが押下された場合や、サイドキーが押下された場合に、節電状態から非節電状態への移行を実行する。また、節電実行部５５は、ユーザ操作に基づかないＢＣＭＣＳ（Ｂｒｏａｄｃａｓｔ／Ｍｕｌｔｉｃａｓｔ  Ｓｅｒｖｉｃｅｓ）による一斉配信されたコンテンツを受信する等の所定のイベントの発生じにも、節電状態から非節電状態に移行する構成であってもよい。
【００３９】
また、選択決定部５２は、複数のキー１３のうちの２以上のキーそれぞれに対応して配置された複数のＬＥＤ１４を選択してもよい。例えば、所定のアプリケーションが実行されている状態において、ユーザに「はい」又は「いいえ」の選択を要求する場合、選択決定部５２は、「はい」に対応するキーに対応して配置されたＬＥＤを選択すると共に、このＬＥＤを青色で点灯させることを決定する。同時に、選択決定部５２は、「いいえ」に対応するキーに対応して配置されたＬＥＤを選択すると共に、このＬＥＤを黄色で点灯させることを決定する。この場合、制御部５６は、これら複数のＬＥＤ１４の位置及び発光態様を第１発光情報としてメモリ１５に記憶させる。
このように構成されることにより、携帯電話機１は、選択決定部５２が複数のＬＥＤ１４を選択した状態で節電状態に移行した後に、この節電状態が解除されたときにも、メモリ１５に記憶された第１発光情報に基づいて複数のＬＥＤ１４を発光させることができる。
【００４０】
また、選択決定部５２は、節電状態にあるときにアプリケーション実行部５１により所定のアプリケーション（例えば、メールに関するアプリケーション）と異なる他のアプリケーション（例えば、アラームに関するアプリケーション）が実行された場合、当該他のアプリケーションの指示に基づいて、複数のキー１３の中から所定のキーに対応して配置されるＬＥＤ１４を選択してもよい。この場合、判定部５７によりメモリ１５に表示部３４が節電状態である旨が記憶されていると判定されると、制御部５６は、メモリ１５に記憶されている第１発光情報を、他のアプリケーションの指示に基づいて選択決定部５２が選択したＬＥＤに関する情報である第２発光情報に更新する。
また、制御部５６は、判定部５７によりメモリ１５に表示部３４が非節電状態である旨が記憶されていると判定された場合には、選択決定部５２により選択されたＬＥＤ１４を、この選択決定部５２により決定された発光態様で発光させるように発光駆動部５３を制御する。
他のアプリケーションとしては、所定の報知動作を伴う、着信（通話、メール）やアラームに関するアプリケーション等が挙げられる。
【００４１】
本実施形態では、筐体は、上述のように、操作部１１を有する第１筐体としての操作部側筐体２と、表示部３４を有する第２筐体としての表示部側筐体３と、操作部側筐体２と表示部側筐体３とが重なり合った閉状態と操作部側筐体２と表示部側筐体３とが重なり合わない開状態とを変更可能に連結する連結部４と、を備えている。また、携帯電話機１は、携帯電話機１の閉状態又は開状態を検出する開閉検知部としての開閉センサ１６を更に備えている。
【００４２】
開閉センサ１６は、例えば、操作部側筐体２に配置される磁石（図示せず）と、表示部側筐体３に配置されるホール素子（図示せず）とにより構成される。制御部５６は、開閉センサ１６から出力される検出値に基づいて開閉状態を検知する。そして、制御部５６により携帯電話機１が開状態から閉状態に移行したことが検知された場合には、節電実行部５５は、携帯電話機１を節電状態に移行させる。
【００４３】
より具体的には、携帯電話機１では、例えば、開状態においてメールに関するアプリケーションを実行中に、この携帯電話機１を閉状態として節電状態に移行させた状態において、着信に関するアプリケーションが他のアプリケーションとして実行されると、選択決定部５２は、通話キーに対応して配置されるＬＥＤ１４を選択すると共に、このＬＥＤ１４の発光態様を決定する。ここで、節電実行部５５は、所定のブロックを非節電状態に移行させて着信の報知を行わせるが、表示部３４の節電状態は維持させる。この場合、制御部５６は、メモリ１５に記憶されているメールの操作に関するキーに対応して配置されたＬＥＤ１４の情報である第１発光情報を、通話キーに対応して配置されるＬＥＤ１４の情報である第２発光情報に更新する。
この状態で、携帯電話機１が開状態に移行されると、節電実行部５５は、表示部３４の節電状態を非節電状態に移行させる。すると、制御部５６は、メモリ１５に記憶されている第２発光情報に基づいて通話キーに対応して配置されるＬＥＤ１４を所定の発光態様で発光させるよう発光駆動部５３を制御する。
【００４４】
一方、携帯電話機１の開状態においてメールに関するアプリケーションを実行中に、この携帯電話機１を開状態のまま所定時間放置して節電状態に移行させた状態で、着信に関するアプリケーションが他のアプリケーションとして実行された場合、節電実行部５５は、表示部３４及び所定のブロックを非節電状態に移行させると共に、表示部３４及び所定のブロックを非節電状態に移行させた旨を制御部５６に通知する。この場合、制御部５６は、選択決定部５２により選択されたＬＥＤ１４を、この選択決定部５２により決定された発光態様で発光させるように発光駆動部５３を制御すると共に、着信の報知を行わせる。また、制御部５６は、メモリ１５に表示部３４及び所定のブロックが非節電状態にある旨を記憶させる。
【００４５】
このように構成されることにより、携帯電話機１は、所定のアプリケーションが実行されているときに節電状態に移行した状態で、表示部３４の節電状態が維持されたまま他のアプリケーションが実行された場合においても、メモリ１５に記憶された情報を、他のアプリケーションの指示に基づいて選択されたＬＥＤ１４に関する第２発光情報に更新できる。よって、表示部３４の節電状態が維持された状態において他のアプリケーションが実行された後、この表示部３４の節電状態が解除されても、メモリ１５に記憶された第２発光情報に基づいて、他のアプリケーションの指示に基づいて選択されたＬＥＤ１４を発光させられる。
【００４６】
また、制御部５６は、アプリケーション実行部５１による他のアプリケーションの実行が終了した場合、メモリ１５に記憶されている第２発光情報を第１発光情報に更新してもよい。
上述のように、本実施形態の携帯電話機１では、例えば、開状態においてメールに関するアプリケーションを実行中に、この携帯電話機１を閉状態として節電状態に移行させた状態において、着信に関するアプリケーションが他のアプリケーションとして実行されると、選択決定部５２は、通話キーに対応して配置されるＬＥＤ１４を選択すると共に、このＬＥＤ１４の発光態様を決定する。ここで、節電実行部５５は、所定のブロックを非節電状態に移行させて着信の報知を行わせるが、表示部３４の節電状態は維持させる。この場合、制御部５６は、メモリ１５に記憶されているメールの操作に関するキーに対応して配置されたＬＥＤ１４の情報である第１発光情報を、通話キーに対応して配置されるＬＥＤ１４の情報である第２発光情報に更新する。
この状態において、携帯電話機１が開状態とされることなく、即ち、表示部３４が非節電状態に移行されることなく、着信に関するアプリケーションの実行が終了した場合には、制御部５６は、メモリ１５に記憶された第２発光情報を、再び第１発光情報に更新させる。
【００４７】
このように構成されることにより、携帯電話機１は、表示部３４の節電状態が維持されたまま他のアプリケーションが実行されたものの、表示部３４の節電状態が非節電状態に移行されることなく他のアプリケーションの実行が終了した場合には、メモリ１５に記憶されている情報は、第１発光情報に更新される。これにより、ユーザが他のアプリケーションが終了するまで携帯電話機１を操作しなかった場合には、もとのアプリケーションの指示に基づいて選択されたＬＥＤ１４に関する情報である第１発光情報に基づいて、所定のＬＥＤ１４を迅速に発光させられる。
【００４８】
次に、本実施形態の携帯電話機１の具体的な動作について図３〜図６を参照しながら説明する。図３〜図６は、携帯電話機１の具体的な動作を示すフロー図である。
先ず、節電実行部５５により携帯電話機１（表示部３４及び所定のブロック）が節電状態から非節電状態に移行される場合における携帯電話機１の動作について図３を参照しながら説明する。
【００４９】
節電状態においては、複数のＬＥＤ１４は、全て消灯されている。
ステップＳ１において、節電実行部５５により、表示部３４及び所定のブロックが節電状態から非節電状態に移行されると、判定部５７は、メモリ１５に第１発光情報又は第２発光情報が記憶されているか否かを判定する。判定部５７によりメモリ１５に第１発光情報又は第２発光情報が記憶されていると判定された場合は、ステップＳ２に進む。判定部５７によりメモリ１５に第１発光情報又は第２発光情報が記憶されていないと判定された場合は、ステップＳ３に進む。
【００５０】
ステップＳ２において、制御部５６は、メモリ１５に記憶された第１発光情報又は第２発光情報に基づいて、所定のＬＥＤ１４を発光させるように発光駆動部５３を制御する。そして、第１発光情報又は第２発光情報に基づいて所定のＬＥＤ１４は、所定の発光態様で発光する。
【００５１】
ステップＳ３において、制御部５６は、複数のＬＥＤ１４全ての消灯状態を維持させる。
【００５２】
続いて、節電実行部５５により携帯電話機１（表示部３４及び所定のブロック）が非節電状態から節電状態に移行される場合における携帯電話機１の動作について図４を参照しながら説明する。
【００５３】
ステップＳ１１において、節電実行部５５により、表示部３４及び所定のブロックが非節電状態から節電状態に移行されると、制御部５６は、所定のＬＥＤ１４が発光しているかを判断する。具体的には、制御部５６は、選択決定部５２により所定のＬＥＤ１４が選択されているかを判断する。制御部５６により所定のＬＥＤ１４が選択されていると判断された場合は、ステップＳ１２に進む。制御部５６により所定のＬＥＤ１４が選択されていないと判断された場合は、ステップＳ１３に進む。
【００５４】
ステップＳ１２において、制御部５６は、選択決定部５２により選択されたＬＥＤ１４の位置及び発光態様をメモリ１５に記憶させる。また、制御部５６は、発光しているＬＥＤ１４を消灯させるよう発光駆動部５３を制御する。
【００５５】
ステップＳ１３において、制御部５６は、複数のＬＥＤ１４全ての消灯状態を維持させる。また、制御部５６は、表示部３４及び所定のブロックの節電状態をメモリ１５に記憶させる。
【００５６】
続いて、実行されているアプリケーションの指示に基づいて選択決定部５２により所定のＬＥＤ１４が選択された場合における携帯電話機１の動作について図５を参照しながら説明する。
【００５７】
ステップＳ２１において、選択決定部５２により所定のＬＥＤ１４が選択されると、判定部５７は、メモリ１５に表示部３４が非節電状態である旨が記憶されているか否かを判定する。判定部５７によりメモリ１５に表示部３４の非節電状態が記憶されていると判定された場合は、ステップＳ２２に進む。判定部５７によりメモリ１５に表示部３４が非節電状態である旨が記憶されていない（節電状態である旨が記憶されている）と判定された場合は、ステップＳ２３に進む。
【００５８】
ステップＳ２２において、制御部５６は、選択決定部５２により選択されたＬＥＤ１４を、この選択決定部５２により決定された発光態様で発光させるように発光駆動部５３を制御する。そして、選択決定部５２により選択されたＬＥＤ１４は、所定の発光態様で発光する。
【００５９】
ステップＳ２３において、制御部５６は、選択決定部５２により選択されたＬＥＤ１４の位置及び発光態様を、第１発光情報又は第２発光情報としてメモリ１５に記憶させる。
【００６０】
続いて、実行されているアプリケーションの指示に基づいて選択決定部５２により選択された所定のＬＥＤ１４の選択が解除された場合における携帯電話機１の動作について図６を参照しながら説明する。
【００６１】
ステップＳ３１において、選択決定部５２により所定のＬＥＤ１４の選択が解除されると、判定部５７は、メモリ１５に表示部３４の非節電状態が記憶されているか否かを判定する。判定部５７によりメモリ１５に表示部３４が非節電状態である旨が記憶されていると判定された場合は、ステップＳ３２に進む。判定部５７によりメモリ１５に表示部３４が非節電状態である旨が記憶されていない（節電状態である旨が記憶されている）と判定された場合は、ステップＳ３３に進む。
【００６２】
ステップＳ３２において、制御部５６は、発光しているＬＥＤ１４を消灯させるよう発光駆動部５３を制御し、発光しているＬＥＤ１４は、消灯される。
【００６３】
ステップＳ３３において、制御部５６は、複数のＬＥＤ１４の消灯状態を維持させるよう発光駆動部５３を制御すると共に、メモリ１５に記憶された第１発光情報又は第２発光情報を消去させる。
【００６４】
以上説明したように、本実施形態の携帯電話機１によれば、節電状態又は非節電状態に応じてアプリケーション実行部５１及び選択決定部５２の動作態様を変更することなくＬＥＤ１４の発光制御を行える。よって、節電モードが解除された場合に、迅速にかつ簡易な構成で操作すべきキーに対応するＬＥＤを発光させられる
【００６５】
以上、本発明の一実施形態について説明したが、本発明は、前述した実施形態に制限されるものではなく、適宜変更が可能である。
例えば、本発明の携帯電子機器は、前記実施形態のような折り畳み式ではなく、操作部側筐体２と表示部側筐体３とを重ね合わせた状態から一方の筐体を一方向にスライドさせるようにしたスライド式の携帯電子機器であってもよい。また、本発明の携帯電子機器は、操作部側筐体２と表示部側筐体３との重ね合せ方向に沿う軸線を中心に一方の筐体を回転させるようにした回転式（ターンタイプ）の携帯無線装置であってもよい。
【００６６】
また、本発明は、携帯電話機以外の携帯電子機器に適用することができる。携帯電話機以外の携帯電子機器としては、例えば、ＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコンが挙げられる。
【符号の説明】
【００６７】
１  携帯電話機（携帯電子機器）
２  操作部側筐体（第１筐体）
３  表示部側筐体（第２筐体）
４  連結部
１３  キー
１４  ＬＥＤ（発光部）
１５  メモリ（記憶部）
１６  開閉検知部（開閉センサ）
５１  アプリケーション実行部
５２  選択決定部
５４  表示制御部
５６  制御部
【図１】
2011035741.tif 000003
【図２】
2011035741.tif 000004
【図３】
2011035741.tif 000005
【図４】
2011035741.tif 000006
【図５】
2011035741.tif 000007
【図６】
2011035741.tif 000008